(57)【要約】      （修正有）【課題】ショーツ本体が身体の動きに追従して動いた場合でも、ナプキン等の位置がズレたり、ナプキン等にヨレが生じたりすることを抑制できるサニタリーショーツを提供する。【解決手段】サニタリーショーツは、伸縮性のある生地からなるショーツ本体１０と、ショーツ本体１０の股部とは別体として設けられる、長さ２０〜４０ｃｍ、のぞましくは２５〜３５ｃｍのクロッチ部２０と、クロッチ部２０の前部位をショーツ本体１０の前面中央の裏側に取り付ける、伸縮性のある生地からなる前取付部１８と、クロッチ部２０の後部位をショーツ本体の後面中央の裏側に取り付ける、伸縮性のある生地からなる後取付部と、を有する。クロッチ部２０の形状は、ショーツ本体１０の股部形状と同一形状、実質的に同一形状、類似形状または相似形状である。【選択図】図１Ｂ
0003204057.tif 000002
【実用新案登録請求の範囲】
【請求項１】
伸縮性のある生地からなるショーツ本体と、
前記ショーツ本体の股部とは別体として設けられる、長さ２０〜４０ｃｍ、のぞましくは２５〜３５ｃｍのクロッチ部と、
前記クロッチ部の前部位を前記ショーツ本体の前面中央の裏側に取り付ける、伸縮性のある生地からなる前取付部と、
前記クロッチ部の後部位を前記ショーツ本体の後面中央の裏側に取り付ける、伸縮性のある生地からなる後取付部と、を有し、
前記クロッチ部の形状が、前記ショーツ本体の股部形状と同一形状、実質的に同一形状、類似形状または相似形状である、サニタリーショーツ。
【請求項２】
前記前取付部及び前記後取付部のうち少なくともいずれかに、前記クロッチ部の長手方向中央に向かう方向に開口するように設けられるポケット部を有する、請求項１に記載のサニタリーショーツ。
【請求項３】
前記前取付部及び前記後取付部は、それぞれ前記クロッチ部の長手方向中央に向かう方向に開口するようにコの字状に前記ショーツ本体に縫合されている、請求項１または２に記載のサニタリーショーツ。
【請求項４】
前記ショーツ本体は、
右腹部及び右臀部を覆う右側部と、
左腹部及び左臀部を覆う左側部と、
前記右側部と前記左側部とを連結し、かつ前記股部を有する連結部と、
前記右側部の上端と、前記左側部の上端と、前記連結部の上端とに取り付けられ、腰周り部を覆うウエスト部と、を含んでなり、
前記クロッチ部は、前記連結部の前面中央の裏側に前記前取付部で取り付けられ、かつ前記連結部の後面中央の裏側に前記後取付部で取り付けられる、請求項１〜３のいずれかに記載のサニタリーショーツ。
【請求項５】
前記前取付部は、前記ショーツ本体の前面に関し、前記右側部及び前記連結部の境界と、前記左側部及び前記連結部の境界と、前記ウエスト部及び前記連結部の境界とに合致する形状を有し、それぞれの境界の位置で縫合されており、
前記後取付部は、前記ショーツ本体の後面に関し、前記右側部及び前記連結部の境界と、前記左側部及び前記連結部の境界と、前記ウエスト部及び前記連結部の境界とに合致する形状を有し、それぞれの境界の位置で縫合されている、請求項４に記載のサニタリーショーツ。
【請求項６】
前記クロッチ部は、防水性を有する、請求項１〜５のいずれかに記載のサニタリーショーツ。
【請求項７】
前記ショーツ本体の一部または全部は、複数の通気孔が設けられた生地からなる、請求項１〜６のいずれかに記載のサニタリーショーツ。
【請求項８】
前記ショーツ本体の一部または全部は、撥水性を有する、請求項１〜７のいずれかに記載のサニタリーショーツ。
【請求項９】
前記クロッチ部は、サニタリーショーツを着用した着用時の股下最下点の位置に、目印を有する、請求項１〜８のいずれかに記載のサニタリーショーツ。
【考案の詳細な説明】
【技術分野】
【０００１】
本考案は、サニタリーショーツに関し、例えば、ハイキング、登山、トレッキングなどのアウトドア時、スポーツ時に着用されるサニタリーショーツである。
【背景技術】
【０００２】
従来、生理用ナプキンやおりものシート（以下、ナプキン等と呼ぶ）の装着に適したサニタリーショーツが知られている。例えば特許文献１には、ナプキン等を装着する領域に皺やよじれが生じないように、ショーツ本体を後面から前面に引っ張る把持部を設けているサニタリーショーツが開示されている。
【先行技術文献】
【特許文献】
【０００３】
【特許文献１】特開２００８−１７９４２号公報
【考案の概要】
【考案が解決しようとする課題】
【０００４】
しかしながら上記のサニタリーショーツは、ナプキン等を装着後、使用者の動きに伴いショーツ本体が動いた場合、ナプキン等の位置がズレたり、ナプキン等にヨレが生じたりするという問題があった。
【０００５】
本考案は、上記問題に鑑みてなされたものであって、その目的は、身体の動きに追従してショーツ本体が動いた場合でも、ナプキン等の位置がズレたり、ナプキン等にヨレが生じたりすることを抑制できるサニタリーショーツを提供することにある。
【課題を解決するための手段】
【０００６】
伸縮性のある生地からなる本発明のサニタリーショーツは、
ショーツ本体と、
前記ショーツ本体の股部とは別体として設けられる、長さ２０〜４０ｃｍ、のぞましくは２５〜３５ｃｍのクロッチ部と、
前記クロッチ部の前部位を前記ショーツ本体の前面中央の裏側に取り付ける、伸縮性のある生地からなる前取付部と、
前記クロッチ部の後部位を前記ショーツ本体の後面中央の裏側に取り付ける、伸縮性のある生地からなる後取付部と、を有し、
前記クロッチ部の形状が、前記ショーツ本体の股部形状と同一形状、実質的に同一形状、類似形状または相似形状である。
【０００７】
この構成によれば、ショーツ本体とは別に、前取付部及び後取付部によりショーツ本体の裏側に取り付けられるクロッチ部が設けられる。これにより、クロッチ部にナプキン等を装着することで、ショーツ本体が身体の動きに大きく引っ張られても、クロッチ部はショーツ本体から離れて浮き、ショーツ本体に追従しないため、ナプキン等をホールドしたい部分にぴたりとフィットさせることができる。すなわち、ショーツ本体が動いた場合でも、動きの影響を受けにくく、ナプキン等の位置がズレたり、ナプキン等にヨレが生じたりすることを抑制できる。
【０００８】
上記発明の一実施形態として、前記前取付部及び前記後取付部のうち少なくともいずれかに、前記クロッチ部の長手方向中央に向かう方向に開口するように設けられるポケット部を有することが好ましい。これにより、ナプキン等の端を、ポケット部と前取付部の間の空間、または、ポケット部と後取付部との間の空間に挿入して固定できるため、ナプキン等の位置のズレやヨレの発生を効果的に抑制できる。
【０００９】
上記発明の一実施形態として、前記前取付部及び前記後取付部は、それぞれ前記クロッチ部の長手方向中央に向かう方向に開口するようにコの字状に前記ショーツ本体に縫合されていることが好ましい。これにより、クロッチ部は、Ｉ字状にショーツ本体に縫合される場合に比べて、頑強かつ柔軟にショーツ本体に取り付けられる。また、ロの字状にショーツ本体に縫合される場合に比べて、クロッチ部はショーツ本体から離れやすくなるため、ショーツ本体が動いても、ナプキン等をホールドしたい部分に留まらせることができる。
【００１０】
上記発明の一実施形態として、
前記ショーツ本体は、
右腹部及び右臀部を覆う右側部と、
左腹部及び左臀部を覆う左側部と、
前記右側部と前記左側部とを連結し、かつ前記股部を有する連結部と、
前記右側部の上端と、前記左側部の上端と、前記連結部の上端とに取り付けられ、腰周り部を覆うウエスト部と、を含んでなり、
前記クロッチ部は、前記連結部の前面中央の裏側に前記前取付部で取り付けられ、かつ前記連結部の後面中央の裏側に前記後取付部で取り付けられることが好ましい。
【００１１】
また、上記実施形態において、
前記前取付部は、前記ショーツ本体の前面に関し、前記右側部及び前記連結部の境界と、前記左側部及び前記連結部の境界と、前記ウエスト部及び前記連結部の境界とに合致する形状を有し、それぞれの境界の位置で縫合されており、
前記後取付部は、前記ショーツ本体の後面に関し、前記右側部及び前記連結部の境界と、前記左側部及び前記連結部の境界と、前記ウエスト部及び前記連結部の境界とに合致する形状を有し、それぞれの境界の位置で縫合されていることが好ましい。
【００１２】
これにより、右側部と左側部と連結部とウエスト部とを含んでなるショーツ本体に、クロッチ部を取り付けたサニタリーショーツを提供できる。特に、前取付部及び後取付部は、右側部及び連結部の境界と、左側部及び連結部の境界と、ウエスト部及び連結部の境界とに合致する形状を有し、それぞれの境界の位置で縫合されている。これにより、右側部、左側部、連結部、及びウエスト部を縫合してショーツ本体を形成する際に、前取付部及び後取付部も併せて縫合することができ、効率的にサニタリーショーツを製造できる。
【００１３】
上記発明の一実施形態として、前記クロッチ部は、防水性を有することが好ましい。これにより、ナプキン等を装着される領域が防水性を有するため、ナプキン等から経血が漏れた場合でも、クロッチ部に経血が浸透することを抑制できる。
【００１４】
上記発明の一実施形態として、前記ショーツ本体の一部または全部は、複数の通気孔が設けられた生地、例えばパワーネット生地からなることが好ましい。パワーネット生地にすることで伸縮性に優れ、着用時のフィット性が向上する。
【００１５】
上記発明の一実施形態として、前記ショーツ本体の一部または全部は、撥水性を有することが好ましい。これにより、サニタリーショーツの上に着用しているショーツやタイツ等の生地へ、汗をスムーズに送り出し、ぬれ戻りを防ぐことができるため、汗によるベタつきや汗冷えの発生を抑制できる。
【００１６】
上記発明の一実施形態として、前記クロッチ部は、サニタリーショーツを着用した着用時の股下最下点の位置に、目印を有することが好ましい。これにより、クロッチ部の目印を参考にナプキン等をクロッチ部に装着する位置をより簡便に決定することができる。
【図面の簡単な説明】
【００１７】
【図１Ａ】サニタリーショーツの前面の表側を示す模式図である。
【図１Ｂ】サニタリーショーツの前面の裏側を示す模式図である。
【図１Ｃ】サニタリーショーツの後面の裏側を示す模式図である。
【図１Ｄ】サニタリーショーツの後面の裏側を示す模式図である。
【図２】前取付部、後取付部、及びクロッチ部の模式的な展開図である。
【図３】ナプキン等が装着された状態における前取付部、クロッチ部、及びポケット部の模式的な展開図である。
【考案を実施するための形態】
【００１８】
（実施形態１）
本実施形態１のサニタリーショーツ１について、図面を参照しながら説明する。なお、本考案は、実施形態１のサニタリーショーツに限定されない。
【００１９】
図１Ａはサニタリーショーツ１の前面の表側を示す模式図であり、図１Ｂはサニタリーショーツ１の前面の裏側を示す模式図であり、図１Ｃ及び図１Ｄはサニタリーショーツ１の後面の裏側を示す模式図である。なお詳細は後述するが、図１Ｃでは説明の都合上、サニタリーショーツ１における一部の構成（後述するポケット部３０）の図示を省略している。
【００２０】
サニタリーショーツ１は、ショーツ本体１０（図１Ａ参照）と、前取付部１８（図１Ｂ参照）と、後取付部１９（図１Ｃ参照）と、クロッチ部２０（図１Ｂ、図１Ｃ及び図１Ｄ参照）と、ポケット部３０（図１Ｄ参照）とを有する。
【００２１】
図１Ａを参照して、ショーツ本体１０について説明する。ショーツ本体１０は、右側部１１、左側部１３、連結部１５、及びウエスト部１７を含んでなる。右側部１１は、装着者の右腹部及び右臀部を覆う。左側部１３は、装着者の左腹部及び左臀部を覆う。連結部１５は、右側部１１と左側部１３とを連結する。ウエスト部１７は、右側部１１の上端１１ａと、左側部１３の上端１３ａと、前記連結部の上端１５ａとに取り付けられ、装着者の腰周り部を覆う。連結部１５は、装着者の股を覆う股部１５ｂを下方に含む。
【００２２】
右側部１１、左側部１３、及び連結部１５は、撥水性を有する生地からなる。一例として、右側部１１、左側部１３、及び連結部１５は、１．５ｍｍ〜２ｍｍの径を有する通気孔が多数設けられた、伸縮性のある生地（例えば、パワーネット生地）からなる。また、ウエスト部１７は、一例として、１ｍｍの径を有する通気孔が網目状に設けられた、伸縮性のある生地（例えば、パワーネット生地）からなる。なお、ウエスト部１７は、右側部１１や左側部１３等と同様に撥水性を有する生地によって製造されても構わない。ウエスト部１７の内部に、伸縮性ゴムが配置されていてもよい。
【００２３】
続いて、前取付部１８、後取付部１９、クロッチ部２０、及びポケット部３０について説明する。図１Ｂ、図１Ｃ、及び図１Ｄに示すように、前取付部１８、後取付部１９、クロッチ部２０、及びポケット部３０は、サニタリーショーツ１を裏返した時に現れる。クロッチ部２０は、連結部１５に沿って配置される。
【００２４】
図１Ｂに示すように、前取付部１８は、クロッチ部２０の前部位と連接（例えば縫製）されており、ショーツ本体１０（具体的には、連結部１５）の前面の裏側に取り付けられる。
【００２５】
前取付部１８は、右側部１１及び連結部１５の境界Ａと、左側部１３及び連結部１５の境界Ｂと、ウエスト部１７及び連結部１５の境界Ｃとに合致する形状を有する。前取付部１８は、各境界Ａ、Ｂ、及びＣの位置で縫合されている。なお、前取付部１８は、クロッチ部２０との境界Ｄを含む下端において連結部１５と縫合されていない。即ち、前取付部１８は、前取付部１８からクロッチ部２０に向かう方向（即ち、クロッチ部２０の長手方向中央に向かう方向）に開口するように、コの字状にショーツ本体１０に縫合されている。
【００２６】
図１Ｃに示すように、後取付部１９は、クロッチ部２０の後部位と連接（例えば縫製）されており、ショーツ本体１０（具体的には、連結部１５）の後面の裏側に取り付けられる。
【００２７】
後取付部１９は、右側部１１及び連結部１５の境界Ｅと、左側部１３及び連結部１５の境界Ｆと、ウエスト部１７及び連結部１５の境界Ｇとに合致する形状を有する。後取付部１９は、各境界Ｅ、Ｆ及びＧの位置で縫合されている。なお、後取付部１９は、クロッチ部２０との境界Ｈを含む下端において連結部１５と縫合されていない。即ち、後取付部１９は、後取付部１９からクロッチ部２０に向かう方向（即ち、クロッチ部２０の長手方向中央に向かう方向）に開口するように、コの字状にショーツ本体１０に縫合されている。
【００２８】
クロッチ部２０は、ナプキン等が装着される領域である。上記のように、クロッチ部２０は、前取付部１８及び後取付部１９との境界（Ｄ、Ｈ）を含む両端をショーツ本体１０に縫合されていない。また、クロッチ部２０は、長手方向（紙面上下方向）にもショーツ本体１０に縫合されていない。即ち、クロッチ部２０は、ショーツ本体１０に縫合されておらず、ショーツ本体１０の連結部１５の股部１５ｂ（図１Ａ参照）とは別体に設けられている。
【００２９】
図１Ｄに示すように、ポケット部３０は、ショーツ本体１０（具体的には、連結部１５）の後面の裏側に、後取付部１９（図１Ｃ参照）と、クロッチ部２０の上方の一部とを覆うように設けられる。
【００３０】
なお、図１Ｃでは、説明の都合上、ポケット部３０の下端３０ａのみを破線で示し、ポケット部３０の全体の図示を省略している。また、図１Ｃでは、ポケット部３０の内側（即ち、ショーツ本体１０側）に、後取付部１９及クロッチ部２０の上方の一部を図示しているが、実際には、これらはポケット部３０により覆われているため、ショーツ本体１０の裏側から視認することはできない。
【００３１】
ポケット部３０は、図１Ｃに示すように、右側部１１及び連結部１５の境界Ｅと、左側部１３及び連結部１５の境界Ｆと、ウエスト部１７及び連結部１５の境界Ｇとに合致する形状を有し、各境界Ｅ、Ｆ及びＧの位置でコの字状に縫合されている。即ち、ポケット部３０は、後取付部１９からクロッチ部２０に向かう方向（即ち、クロッチ部２０の長手方向中央に向かう方向）に開口するように設けられている。
【００３２】
続いて、図２を参照して、前取付部１８、後取付部１９、及びクロッチ部２０について説明を続ける。図２は、前取付部１８、後取付部１９、及びクロッチ部２０の模式的な展開図である。図２に示すように、クロッチ部２０は、長手方向（即ち、紙面上下方向）における両端に、前取付部１８及び後取付部１９を縫合されてなる。また、図２に示すように、クロッチ部２０は、ショーツ本体１０の連結部１５の股部１５ｂ（図１Ａ参照）の形状と相似形状である。なお、クロッチ部２０は、長手方向（即ち、紙面上下方向）に、２０〜４０ｃｍ（のぞましくは２５〜３５ｃｍ）の長さを有する。
【００３３】
クロッチ部２０は、短手方向（紙面左右方向）の両端に、目印２１を有する。目印２１は、サニタリーショーツ１を着用した着用時の股下最下点の位置に付与されている。
【００３４】
なお、前取付部１８及び後取付部１９は、ショーツ本体１０のウエスト部１７と同様の生地からなる。一例として、前取付部１８及び後取付部１９は、１ｍｍの径を有する通気孔が網目状に設けられた、伸縮性のある生地（パワーネット生地）からなる。また、クロッチ部２０は、防水性を有する生地（一例として、防水布）からなる。このようにクロッチ部２０は、クロッチ部２０の長手方向（紙面上下方向）における両端に、クロッチ部２０とは異なる生地からなる前取付部１８及び後取付部１９が縫合されて形成されている。
【００３５】
続いて、図３を参照してナプキンの装着について説明する。図３は、ナプキンが装着された状態における前取付部１８、クロッチ部２０及びポケット部３０の模式的な展開図である。上記のように後取付部１９及びクロッチ部２０の一部は、ポケット部３０により覆われているため、図３ではこれらを図示していない。図３に示すように、ナプキン４０の端はポケット部３０と後取付部１９（図示略）との間の空間に挿入される。
【００３６】
（作用効果）
本実施形態１のサニタリーショーツ１によれば、ショーツ本体１０とは別体のクロッチ部２０が設けられるため、ナプキン等をクロッチ部２０に装着可能となる。これにより、ショーツ本体１０が身体の動きに大きく引っ張られても、クロッチ部２０はショーツ本体１０から離れて浮き、ショーツ本体１０に追従しないため、ナプキン等をホールドしたい部分にぴたりとフィットさせることができる。
【００３７】
クロッチ部２０はショーツ本体１０、前取付部１８、後取付部１９に比して生地の伸縮性が少ない生地を用いており、これによりショーツ本体１０が身体の動きに合わせて大きく引っ張られても、クロッチ部２０はナプキン等をホールドしたい身体の位置にぴったりとフィットさせ続けることができる。
【００３８】
また、本実施形態１のサニタリーショーツ１によれば、図１Ｃに示すように、後取付部１９（図示略）からクロッチ部２０に向かう方向に開口するように設けられるポケット部３０を有する。これにより、ナプキン等の端をポケット部３０と後取付部１９との間の空間に挿入して固定でき（図３参照）、ナプキン等の位置のズレやヨレの発生を効果的に抑制できる。
【００３９】
また、本実施形態１のサニタリーショーツ１によれば、図１Ｂ及び図１Ｃを参照して説明したように、クロッチ部２０はショーツ本体１０に縫合されない。これにより、クロッチ部２０はショーツ本体１０から離れやすくなるため、ショーツ本体１０が動いても、ナプキン等をホールドしたい身体の位置に留まらせることができる。
【００４０】
また、本実施形態１のサニタリーショーツ１によれば、前取付部１８及び後取付部１９は、右側部１１及び連結部１５の境界（Ａ、Ｅ）と、左側部１３及び連結部１５の境界（Ｂ、Ｆ）と、ウエスト部１７及び連結部１５の境界（Ｃ、Ｇ）とに合致する形状を有し、それぞれの境界の位置で縫合されている。これにより、右側部１１、左側部１３、連結部１５、及びウエスト部１７を縫合してショーツ本体１０を形成する際に、前取付部１８及び後取付部１９も併せて縫合することができ、効率的にサニタリーショーツ１を製造できる。
【００４１】
また、クロッチ部２０は、防水性を有する。即ち、クロッチ部２０のうちナプキン等を装着される領域が防水性を有するため、ナプキン等から経血が漏れた場合でも、クロッチ部２０に経血が浸透することを抑制できる。
【００４２】
また、ショーツ本体１０の右側部１１、左側部１３、及び連結部１５は、撥水性を有するため、サニタリーショーツ１の上に着用しているショーツやタイツ等の生地へ、汗をスムーズに送り出し、ぬれ戻りを防ぐことができるため、汗によるベタつきや汗冷えの発生を抑制できる。
【００４３】
また、クロッチ部２０には、目印２１が付与されているため、目印２１を参考に位置を調整しながらナプキン等をクロッチ部２０に装着することが可能となる。
【００４４】
（別実施形態）
〈１〉サニタリーショーツ１は、前取付部１８を覆うポケット部をさらに有しても構わない。より具体的には、サニタリーショーツ１は、前取付部１８からクロッチ部２０に向かう方向に開口するように設けられるポケット部をさらに有しても構わない。
【００４５】
〈２〉サニタリーショーツ１は、右側部１１、左側部１３、及び連結部１５を含んでなるが、これに限らない。例えば、サニタリーショーツ１は、前側部を前面に有し、後側部を後面に有し、前側部及び後側部を繋ぐ股側部を含んでなるものとしても構わない。
【００４６】
〈３〉前取付部１８及び後取付部１９はショーツ本体１０と異なる生地からなるが、同一の生地により製造しても構わない。
【００４７】
〈４〉クロッチ部２０は、ショーツ本体１０の連結部１５の股部１５ｂ（図１Ａ参照）の形状と相似形状に限らず、当該股部１５ｂの形状と同一形状、実質的に同一形状、または類似形状であっても構わない。
【符号の説明】
【００４８】
１          サニタリーショーツ
１０        ショーツ本体
１１        右側部
１１ａ      右側部の上端
１３        左側部
１３ａ      左側部の上端
１５        連結部
１５ａ      連結部の上端
１５ｂ      股部
１７        ウエスト部
１８        前取付部
１９        後取付部
２０        クロッチ部
２１        目印
３０        ポケット部
【図１Ａ】
0003204057.tif 000003
【図１Ｂ】
0003204057.tif 000004
【図１Ｃ】
0003204057.tif 000005
【図１Ｄ】
0003204057.tif 000006
【図２】
0003204057.tif 000007
【図３】
0003204057.tif 000008